(57)【特許請求の範囲】
【請求項１】
（イ）開口を有する扉本体と、
（ロ）複数の通気孔を有し、上記開口に嵌め込まれた通風部材と、
（ハ）この通風部材の室外側に離間して配置され、通風部材を覆う化粧板とを備え、
この化粧板と上記扉本体との間に隙間が形成され、この隙間が、上記化粧板と上記通風部材との間の通風路を介して、上記通気孔に連なっており、
上記化粧板が上記開口より延び出ており、
この化粧板における上記開口より延び出た部分の縁に沿って、上記隙間と色調を同じくするカモフラージュ板が設けられていることを特徴とする通気機能付き扉。
【請求項２】
上記カモフラージュ板の室外側の面が、黒色であることを特徴とする請求項１に記載の通気機能付き扉。
【請求項３】
上記化粧板が上下に延びており、
上記開口の左右の縁には、上記化粧板から左右に離れて上記通風部材を固定するための一対の縦枠材が上記開口より上下に長く延びるように設けられ、これら縦枠材と上記化粧板とによって上記隙間が形成されており、
上記化粧板及び縦枠材における上記開口より延び出た部分どうしの間に、上記カモフラージュ板が設けられていることを特徴とする請求項１又は２に記載の通風機能付き扉。
【請求項４】
上記通風部材の室内側に離間して通風部材を覆う他の化粧板を備え、この室内側の化粧板と上記扉本体との間にも隙間が形成され、この隙間が、上記室内側の化粧板と上記通風部材との間の通風路を介して、上記通気孔に連なっていることを特徴とする請求項１〜３の何れかに記載の通風機能付き扉。
【請求項５】
上記通風部材に、上記通気孔を開閉する作動板が設けられ、上記室内側の化粧板に、上記作動板に連結された操作つまみが設けられていることを特徴とする請求項４に記載の通風機能付き扉。
【請求項６】
上記通風部材に断熱材を設けたことを特徴とする請求項１〜５の何れかに記載の通風機能付き扉。
【発明の詳細な説明】
【０００１】
【発明の属する技術分野】
この発明は、通気機能を有する扉に関する。
【０００２】
【従来の技術】
例えば、特開２０００−８７２６号公報や特開平１１−３００６７号公報に記載されているように、扉にガラリ（通風部材）を設けて、通気性を持たせたものは周知である。
【０００３】
【発明が解決しようとする課題】
しかし、上記従来の構造では、ガラリが室内外に露出されており、美観が悪いという問題があった。
【０００４】
【課題を解決するための手段】
本発明は上記課題を解決するためになされたものであり、その第１の特徴は、（イ）開口を有する扉本体と、（ロ）複数の通気孔を有し、上記開口に嵌め込まれた通風部材と、（ハ）この通風部材の室外側又は室内側に離間して配置され、通風部材を覆う化粧板とを備え、この化粧板と上記扉本体との間に隙間が形成され、この隙間が、上記化粧板と上記通風部材との間の通風路を介して、上記通気孔に連なっていることにある。これによって、通風部材を見えないようにすることができ、扉の美観を向上させることができる。
【０００５】
本発明の第２の特徴は、上記第１の特徴において、上記化粧板が上下に延びており、上記隙間が、この化粧板の左右の縁と上記開口の左右の縁との間に、一対をなして上下に細く延びていることにある。これによって、扉の美観をより向上させることができる。
【０００６】
本発明の第３の特徴は、上記第２の特徴において、上記開口の左右の縁には、上記化粧板から左右に離れて上記通風部材を固定するための一対の縦枠材が設けられ、これら縦枠材と上記化粧板とによって上記隙間が形成されていることにある。これによって、扉の美観をより一層高めることができる。
【０００７】
本発明の第４の特徴は、上記第１の特徴において、上記化粧板が、上記通風部材を挟んで室外側と室内側に一対設けられていることにある。これによって、扉の両側の美観を高めることができる。
【０００８】
本発明の第５の特徴は、上記第４の特徴において、上記通風部材に、上記通気孔を開閉する作動板が設けられ、上記室内側の化粧板に、上記作動板に連結された操作つまみが設けられていることにある。これによって、換気を許容したり、遮断したりすることができる。
【０００９】
本発明の第６の特徴は、上記第１〜第５の特徴の何れかにおいて、上記通風部材に断熱材を設けたことにある。これによって、結露の防止及び冷暖房効率の向上を図ることができる。
【００１０】
【発明の実施の形態】
以下、本発明の一実施形態を、図面を参照して説明する。
図１は本発明を適用した玄関扉１を示したものである。この玄関扉１は、扉本体１０と、換気装置２０とを備えている。扉本体２０の下部には、長方形の開口１１が形成されている。この開口１１に換気装置２０が嵌め込まれている。
【００１１】
図１〜図４に示すように、換気装置２０は、開口１１の縁に取り付けられた支持枠２１と、この支持枠２１に支持された通気ユニット３０とを備えている。支持枠２１は、アルミ型材からなる縦枠材２１ａ〜２１ｄ、横枠材２１ｅ〜２１ｈで構成されている。これら枠材２１ａ〜２１ｈが、開口１１の各縁に２つずつ、屋外側（室外側）と室内側に対向して配されている。開口１１の左右の縁の屋外側に配された縦枠材２１ａ，２１ｂは、円柱形状の装飾を有して、開口１１より上下に突出し、扉本体１０の屋外側の面に沿って長く延びている。
【００１２】
通気ユニット３０は、通風板３１（通風部材）と、この通風板３１の屋外側の面に添わされた作動板３２とを有している。通風板３１は、長方形の鋼板からなり、複数の通気孔３１ａが上下に等間隔置きに形成されている。この通風板３１の室内側の面には、断熱材３３が貼り付けられている。断熱材３３には、通風板３１の通気孔３１ａに対応する複数の通気孔３３ａが形成されている。これら通風板３１及び断熱材３３の周縁部が、屋外側と室内側の枠材２１ａ〜２１ｈによって挟持されている。通風板３１と屋外側の枠材２１ａ，２１ｂ，２１ｅ，２１ｇとの間には、シール部材２２が介在されている。
【００１３】
作動板３２は、通風板３１より小さい長方形の鋼板からなり、通風板３１の通気孔３１ａに対応する複数の通気孔３２ａが形成されている。作動板３２は、通風板３１に設けた４つのスライドガイド３４によって上下にスライド可能に支持されている。図４に示すように、作動板３２が下限（開位置）に位置しているときは、その通気孔３２ａが通風板３１の通気孔３１ａと一致し、通気孔３１ａが全開状態になる。図５に示すように、作動板３２が上限（閉位置）に位置しているときは、通気孔３１ａが閉塞される。
【００１４】
作動板３２には、操作つまみ４０が連携されている。操作つまみ４０は、作動板３２にボルト締めされるとともに通風板３１及び断熱材３３を貫通するジョイントブロック４２と、このジョイントブロック４２の一対の連結ボス４２ａに連なるつまみ本体４１とを有している。このつまみ本体４１によって、作動板３２を上下動させ、ひいては通気孔３１ａを開閉させることができるようになっている。図５に示すように、つまみ本体４１には、上限位置（通気孔３１ａを閉じた状態）を維持するためのロック部材４３、及びそのロック状態を解除するための押しボタン４４（解除部材）からなるロック機構が設けられているが、本発明の要旨ではないので、その具体的説明は割愛する。
【００１５】
図１〜図４に示すように、玄関扉１の換気装置２０は、通気ユニット３０を挟んで屋外側と室内側に配された一対の化粧板２３，２４を備えている。これら化粧板２３，２４によって通気ユニット３０が覆われている。
【００１６】
屋外側の化粧板２３は、開口１１より上下に長く延び、その上端は郵便受け１ａに達し、その下端は扉本体１０の下端と面一になっている。この化粧板２３は、開口１１の上下の縁に添う横枠材２１ｅ，２１ｇに、水平ブリッジ２５を介して連結されている。化粧板２３は、作動板３２から離間して配置され、化粧板２３と通気ユニット３０との間に通風路２０ａが形成されている。化粧板２３の左右に離れて上記縦枠材２１ａ，２１ｂが配されている。これら化粧板２３と左右の縦枠材２１ａ，２１ｂとの間には、上下に細く延びる一対の隙間２０ｂが形成されている。これら隙間２０ｂを介して通風路２０ａが屋外に連なっている。
【００１７】
なお、図１に示すように、開口１１より上側及び下側における化粧板２３と縦枠材２１ａ，２１ｂとの間には、隙間２０ｂと同じ色調にするための黒色のカモフラージュ板２６が設けられている。
【００１８】
図２〜図４に示すように、室内側の化粧板２４は、ブラケット２７を介して通気ユニット３０に連結されている。この化粧板２４は、断熱材３３から離間して配置され、これら化粧板２４と断熱材３３との間に通風路２０ｃが形成されている。化粧板２４の上端及び下端は、横枠材２１ｆ，２１ｈに接している。一方、化粧板２４の左右縁と縦枠材２１ｃ，２１ｄとの間には、上下に延びる一対の隙間２０ｄが形成されている。これら隙間２０ｄを介して通風路２０ｃが室内に連なっている。
【００１９】
なお、化粧板２４には、上記操作つまみ４０の連結ボス４２ａを上下スライド可能に挿通する一対のスライド孔２４ｂが形成され、この化粧板２４の室内側に、つまみ本体４１が配されている。また、化粧板２４には、操作つまみ４０が上限位置の時、ロック部材４３が嵌り込むロック孔２４ａが形成されている。
【００２０】
作用を説明する。
図３の矢印で示すように、通気孔３１ａが開いているときは、玄関扉１の屋外側と室内側とが、隙間２０ｂ、通風路２０ａ、通気孔３３ａ，３１ａ，３２ａ、通風路２０ｃ、及び隙間２０ｄを介して連通する。これによって、屋外と室内の換気を行うことができる。
通気孔３１ａ，３２ａ，３３ａを有する通気ユニット３０は、化粧板２３，２４で覆われているので、玄関扉１の美観が損なわれることはない。特に、化粧板２３，２４は屋外側にも室内側にも設けられているので、何れの側の美観をも確保することができる。
屋外に連なる隙間２０ｂが化粧板２３の左右の縁に沿って上下に細長く延びることによって、すっきりしたデザインにすることができる。さらに、隙間２０ｂが縦枠材２１ａ，２１ｂと並んで見えることによって、装飾性を高めることができる。室内側の隙間２０ｄについても同様である。
通風板３１には、断熱材３３が設けられているので、結露を防止することができる。また、室内の冷暖房時に冷熱や暖熱が屋外に漏れないようにすることができ、冷暖房効率を高めることができる。
【００２１】
本発明は、上記実施の形態に限定されず、種々の改変が可能である。
例えば、通風部材は、ガラリでもよい。
作動板は、水平にスライドしてもよく、回転してもよい。操作つまみも同様である。
本発明の扉は、玄関扉に限定されない。
【００２２】
【発明の効果】
以上説明したように、本発明の第１の特徴によれば、通風部材を化粧板で覆うことができ、換気機能付き扉の美観を高めることができる。
本発明の第２の特徴によれば、隙間が上下に細長く延びることによってすっきりしたデザインにすることができ、扉の美観をより高めることができる。
本発明の第３の特徴によれば、隙間が縦枠材と並んで見えることによって、扉の美観をより一層高めることができる。
本発明の第４の特徴によれば、通風部材を室内外から見えないようにすることができ、扉の両側の美観を高めることができる。
本発明の第５の特徴によれば、換気を許容したり遮断したりすることができる。
本発明の第６の特徴によれば、通風部材の結露を防止することができる。また、室内の冷暖房時に冷熱や暖熱が屋外に漏れないようにすることができ、冷暖房効率を高めることができる。
【図面の簡単な説明】
【図１】本発明の一実施形態に係る玄関扉を、屋外側から見た図である。
【図２】上記玄関扉の要部を、室内側から見た図である。
【図３】上記玄関扉を、通気孔が開いた状態で示す図１のIII−III線に沿う水平断面図である。
【図４】上記玄関扉を、通気孔が開いた状態で示す図１のIV−IV線に沿う縦断面図である。
【図５】図４において、通気孔が閉じた状態での縦断面図である。
【符号の説明】
１  玄関扉
１１  開口
２０ａ，２０ｃ  通風路
２０ｂ，２０ｄ  隙間
２１ａ，２１ｂ  縦枠材
２１ｃ，２１ｄ  縦枠材
２３，２４  化粧板
３１  通風板（通風部材）
３１ａ  通気孔
３２  作動板
３３  断熱材
４０  操作つまみ
【図１】
0003663119.tif 000002
【図２】
0003663119.tif 000003
【図３】
0003663119.tif 000004
【図４】
0003663119.tif 000005
【図５】
0003663119.tif 000006